(57)【特許請求の範囲】
【請求項１】
容体と、前記容体にヒンジ部材を介して連結される蓋体とから成り、
前記ヒンジ部材は中間部が屈曲伸展自在であって、その一端部が前記容体側に固定され、他端部側は前記蓋体に対する係止部とされ、
前記蓋体の裏面に一対の係止レールが形成され、前記係止部は、その両側部が前記係止レールに摺動可能に係わり合うことにより、開蓋時において前記蓋体を上下方向にスライド可能に支持し、
前記一対の係止レール間に適宜間隔置きに凹陥部が形成されると共に、前記係止部の中央部に、前記凹陥部に係合する弾性ツメが設けられていることを特徴とする蓋付き容器。
【請求項２】
前記ヒンジ部材の一端部は、前記容体の上縁部に嵌め付けられる上縁枠に固定されている、請求項１に記載の蓋付き容器。
【請求項３】
前記蓋体の裏面に、閉蓋時に前記上縁枠の内側面に密着する嵌合枠が形成される、請求項２に記載の蓋付き容器。
【請求項４】
前記蓋体の上面に、前記容体の横倒し状態での使用時に前記容体を安定保持するための支持脚を備える、請求項１乃至３のいずれかに記載の蓋付き容器。
【発明の詳細な説明】
【技術分野】
【０００１】
本発明は蓋付き容器に関するものであり、より詳細には、容体に対してヒンジ連結された蓋を有していて、その蓋が、容体が転倒しにくくなるようにスライド可能である蓋付き容器に関するものである。
【背景技術】
【０００２】
例えば、テーマパーク、公園、映画館等において販売されるポップコーンの容器としては、上方に向かって拡開する容体と、該容体にヒンジ止めされた蓋とから成るプラスチック容器が用いられることが少なくない。この種容器は、ポップコーンに限らず、種々の食品や飲料、あるいは、他の様々な物品の収納用に用いられている。また、その素材もプラスチックに限られる訳ではなく、金属、木、竹、紙その他種々のものが用いられている。
【０００３】
この種容器の場合、中身をより取り出しやすくするためには、蓋を開けた際、蓋が大きく、より垂直に近い状態にまで起立させて開くことが望ましく、更に蓋がその自重で閉じないようにするためには、蓋を垂直状態から少し外方向に傾いた状態にすることが必要となる。そのため、収納量の多寡に関わらず、容体の重量に対する蓋の重量比率がかなり低い場合にはさほど問題にはならないが、蓋に何らかの付加的要素を付加した場合のように、蓋の重量比率が高くなった場合には、ヒンジ止めされている蓋に生ずるモーメントにより容体が転倒しやすくなり、中身がこぼれやすくなる。殊に、容体が上方に向かって拡開する形状の容器の場合にその傾向は高いものとなり、より不安定な状態になる。
【先行技術文献】
【特許文献】
【０００４】
【特許文献１】特開２００４−３０７０５４号公報
【発明の概要】
【発明が解決しようとする課題】
【０００５】
上述したように、従来の蓋付き容器の場合は、収納物が取り出しに伴って減少するに従い、ヒンジ止めされている蓋に生ずるモーメントにより容体が転倒しやすくなり、収納物がこぼれ出やすくなり、殊に、容体が上方に向かって拡開する容器の場合にその傾向が高く、より不安定な状態となっていた。
【０００６】
本発明は、かかる従来の蓋付き容器における問題を解消するためになされたもので、収納物が減少したとしても、また、容体が上方に向かって拡開する形状であっても、開蓋時にヒンジ止めされている蓋の重量モーメントにより容体が転倒しやすくなることがなく、以て、収納物がこぼれ出るおそれがない蓋付き容器を提供することを課題とする。
【課題を解決するための手段】
【０００７】
上記課題を解決するための請求項１に記載の発明は、容体と、前記容体にヒンジ部材を介して連結される蓋体とから成り、前記ヒンジ部材は中間部が屈曲伸展自在であって、その一端部が前記容体側に固定され、他端部側は前記蓋体に対する係止部とされ、前記蓋体の裏面に一対の係止レールが形成され、前記係止部は、その両側部が前記係止レールに摺動可能に係わり合うことにより、開蓋時において前記蓋体を上下方向にスライド可能に支持し、前記一対の係止レール間に適宜間隔置きに凹陥部が形成されると共に、前記係止部の中央部に、前記凹陥部に係合する弾性ツメが設けられていることを特徴とする蓋付き容器である。
【０００８】
一実施形態においては、前記ヒンジ部材の一端部は、前記容体の上縁部に嵌め付けられる上縁枠に固定される。
【０００９】
また、一実施形態においては、前記蓋体の裏面に、閉蓋時に前記上縁枠の内側面に密着する嵌合枠が形成される。
【００１０】
更に一実施形態においては、前記蓋体の上面に、前記容体の横倒し状態での使用時に前記容体を安定保持するための支持脚を備える。
【発明の効果】
【００１１】
本発明は上述したとおりであって、本発明に係る蓋付き容器は、容体と、前記容体にヒンジ部材を介して連結される蓋体とから成り、前記蓋体は、前記ヒンジ部材に開蓋時において下方向にスライド可能に支持されるため、収納物が減少したとしても、また、容体が上方に向かって拡開する形状であったとしても、蓋体を下方にずらし動かすことにより重心を下方に移動させることができるので、蓋体の開蓋時に生ずるモーメントにより、容体が容易に転倒することがなく、転倒して収納物がこぼれ出るおそれがないという効果がある。
【図面の簡単な説明】
【００１２】
【図１】本発明に係る蓋付き容器の一実施形態の斜視図である。
【図２】本発明に係る蓋付き容器の一実施形態の開蓋時の斜視図である。
【図３】本発明に係る蓋付き容器の一実施形態の開蓋後に蓋体をスライドさせた状態を示す斜視図である。
【図４】本発明に係る蓋付き容器の一実施形態の使用形態例を示す斜視図である。
【発明を実施するための形態】
【００１３】
以下に、本発明を実施するための形態について、添付図面に依拠して説明する。本発明に係る蓋付き容器は、容体１と、容体１に被着される蓋体２とから成り、通例、容体１と蓋体２は、共にプラスチック製とされる。容体１は、図示したような円筒（円錐）状のものに限られる訳ではなく、四角形、六角形等の角筒（角錐）状、その他任意の形状となし得る。容体１には、必要に応じ、適宜肩掛け用の吊下げ紐３が取り付けられる。
【００１４】
図示した実施形態においては、蓋体２は、ヒンジ部材５を介し、容体１の上縁部に嵌め付けられる上縁枠４に連結されるようになっている。ヒンジ部材５は中間部が屈曲伸展自在であって、その一端部が上縁枠４に固定される。このように上縁枠４を配することなく、ヒンジ部材５の一端部を直接容体１の上縁部に固定することとしてもよい。
【００１５】
蓋体２の裏面には、閉蓋時における容体１の密閉性を確保するために、上縁枠４の内側面に密着する嵌合枠７が形成される。また、蓋体２の外周部に、開蓋操作を容易にするための摘み８が１又は複数突設される。更に好ましい実施形態においては、蓋体２の上面に、容体１の横倒し状態での使用を許容することを考慮し、その際に容体１を安定状態に保持するように作用する、１又は複数の支持脚９を設ける。この支持脚９は、容器の装飾的要素ともなり得るものである。
【００１６】
上述したように、ヒンジ部材５は中間部が屈曲伸展自在であって、その一端部が上縁枠４に固定されるが、他端部側は係止部１１とされて、蓋体２をスライド可能に支持する。即ち、蓋体２の裏側に一対の係止レール１２が形成され、係止部１１の両側部が係止レール１２に摺動可能に係り合うようにされる。例えば、係止レール１２は、図示した例のように内方向に開口する溝を備えたものとされ、係止部１１は、その溝内を摺動する薄板状にされる。なお、係止レール１２の上端部は、係止部１１の抜けを防止するために閉塞される。
【００１７】
好ましい実施形態においては、蓋体２の裏側の係止レール１２間に、適宜間隔置きに凹陥部１３が設けられると共に、係止部１１の中央部に、蓋体２の側に若干付勢状態にされる弾性ツメ１４が形成され、弾性ツメ１４の先端がいずれかの凹陥部１３に係着するようにされる。
【００１８】
なお、上記凹陥部１３と弾性ツメ１４の構成に代え、係止レール１２の内側の係止部１１当接部に凹陥部を設けると共に、係止部１１の側の当該凹陥部当接部に、その凹陥部に係着する弾性ツメを設ける構成を採用することもできる。
【００１９】
上記構成において、容体１内への収納物の収納は、蓋体２を開けて、あるいは、蓋体２を上縁枠４ごと容体１から外して行い、収納物の取り出しは、蓋体２を開けて行うことは、従来の蓋付き容器の場合と変わるところはない。そして、蓋体２を開ける場合には、蓋体２が収納物の取り出しに邪魔にならない位置、即ち、図２に示すような、垂直状態から少し外方向に傾いた位置にまで開くことも、従来の場合と同じである。
【００２０】
このように、開蓋時に蓋体２が垂直状態から少し外方向に傾いた状態となるために、収納物が少なくなるに従って、蓋体２に生ずるモーメントが増して容器が傾倒しやすくなる。そこで本発明では、蓋体２を開けた際に、蓋体２を下方にずらし動かすことで容器の重心位置を下げることができるようにし、以て、容器の直立安定性を確保できるようにしているのである。
【００２１】
即ち、本発明に係る容器における蓋体２は、その係止レール１２にヒンジ部材５の係止部１１が摺動可能に係合することによりヒンジ部材５に支持されているだけなので、蓋体２を開けて図２に示すように起立させた後下方に引くことにより、蓋体２を、その係止部１１と係止レール１２との係合関係を維持させつつ、下方にスライド移動させることができる（図３参照）。その際、弾性ツメ１４が端部の凹陥部１３に係合しているが、その係合力は強くないために容易に外れるので、それにより蓋体２のスライド移動が阻害されることはない。
【００２２】
このように蓋体２を下位に位置させれば、その分容器全体の重心が下がるために、安定した起立状態を保持することが可能となる。そして、蓋体２を閉めるときは、蓋体２を図３に示す状態から引き上げて図２に示す状態に戻し、上縁枠４に被せるように回動させればよい。
【００２３】
本発明においては、収納物の残量が少なくなった場合に、容器を倒した状態で使用することも想定している。即ち、図４に示すように、蓋体２を下方にスライドさせた状態で、蓋体２側を下にして容体を倒して使用する方法である。この使用方法の場合、蓋体２に設けた支持脚９が、容器の揺動防止機能を果たすので、容体１は安定状態に保持される。
【００２４】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２５】
１      容体
２      蓋体
３      吊下げ紐
４      上縁枠
５      ヒンジ部材
７      嵌合枠
８      摘み
９      支持脚
１１      係止部
１２      係止レール
１３      凹陥部
１４      弾性ツメ
【図１】
0005731832.tif 000002
【図２】
0005731832.tif 000003
【図３】
0005731832.tif 000004
【図４】
0005731832.tif 000005